(57)【要約】  複数の通信方式の信号を受信する受信装置の回路規模を削減する。ベースバンド信号および変調された信号を受け取る受信装置であって、前記ベースバンド信号に同期した外部クロックに基づいて第１内部クロックを生成する第１ＰＬＬ回路と、前記変調された信号を復調し、復調された信号を出力する復調器と、前記ベースバンド信号および前記復調された信号のうちの１つを選択する選択器と、前記第１内部クロックを用いて、前記選択器で選択された信号から再生クロックおよび再生データを生成する第１ＣＤＲ回路とを有する。
2010052808.tif 000002
【特許請求の範囲】
【請求項１】
ベースバンド信号および変調された信号を受け取る受信装置であって、
前記ベースバンド信号に同期した外部クロックに基づいて第１内部クロックを生成する第１ＰＬＬ（Phase Locked Loop）回路と、
前記変調された信号を復調し、復調された信号を出力する復調器と、
前記ベースバンド信号および前記復調された信号のうちの１つを選択する選択器と、
前記第１内部クロックを用いて、前記選択器で選択された信号から再生クロックおよび再生データを生成する第１ＣＤＲ（Clock Data Recovery）回路とを備える
受信装置。
【請求項２】
請求項１に記載の受信装置において、
参照信号に基づいて第２内部クロックを生成する第２ＰＬＬ回路を更に備え、
前記選択器は、前記第１内部クロックおよび前記第２内部クロックから１つを選択し、
前記第１ＣＤＲ回路は、前記選択器で選択された内部クロックを用いて前記再生クロックおよび前記再生データを生成する
受信装置。
【請求項３】
請求項２に記載の受信装置において、
前記ベースバンド信号および前記変調された信号のうち、いずれが入力されているかを判定し、判定結果に応じた選択信号を生成する検出器を更に備え、
前記選択器は、前記選択信号に従って選択を行う
受信装置。
【請求項４】
請求項３に記載の受信装置において、
前記検出器は、前記外部クロックまたは前記ベースバンド信号が入力されている場合には、前記ベースバンド信号を選択すべきことを示す選択信号を生成し、前記復調された信号が入力されている場合には、前記復調された信号を選択すべきことを示す選択信号を生成する
受信装置。
【請求項５】
請求項３に記載の受信装置において、
前記検出器は、前記外部クロックまたは前記ベースバンド信号が入力され、かつ、前記復調された信号が入力されている場合には、前記復調された信号を選択すべきことを示す選択信号を生成する
受信装置。
【請求項６】
請求項３に記載の受信装置において、
前記検出器は、前記外部クロックまたは前記ベースバンド信号が入力され、かつ、前記復調された信号が入力されている場合には、前記ベースバンド信号を選択すべきことを示す選択信号を生成する
受信装置。
【請求項７】
請求項３に記載の受信装置において、
前記ベースバンド信号とは異なるベースバンド信号から再生クロックおよび再生データを生成する第２ＣＤＲ回路を更に備え、
前記第１ＰＬＬ回路および前記第２ＣＤＲ回路のうちの少なくとも１つは、前記検出器に前記復調された信号が入力されている場合には、動作を停止する
受信装置。
【請求項８】
請求項３に記載の受信装置において、
前記復調器および前記第２ＰＬＬ回路のうちの少なくとも１つは、前記検出器に前記外部クロックまたは前記ベースバンド信号が入力されている場合には、動作を停止する
受信装置。
【請求項９】
請求項３に記載の受信装置において、
前記ベースバンド信号とは異なるベースバンド信号から再生クロックおよび再生データを生成する第２ＣＤＲ回路を更に備え、
前記検出器に、前記外部クロックまたは前記ベースバンド信号が入力され、かつ、前記復調された信号が入力されている場合には、前記第１ＰＬＬ回路および前記第２ＣＤＲ回路のうちの少なくとも１つは、動作を停止する
受信装置。
【請求項１０】
請求項３に記載の受信装置において、
前記検出器に、前記外部クロックまたは前記ベースバンド信号が入力され、かつ、前記復調された信号が入力されている場合には、前記復調器および前記第２ＰＬＬ回路のうちの少なくとも１つは、動作を停止する
受信装置。
【請求項１１】
請求項１に記載の受信装置において、
前記選択器は、前記受信装置の外部から入力された選択信号に従って選択を行う
受信装置。
【請求項１２】
請求項１に記載の受信装置において、
前記ベースバンド信号は、ＨＤＭＩ（High-Definition Multimedia Interface）信号であり、
前記変調された信号は、ＵＷＢ（Ultra Wide Band）信号である
受信装置。
【請求項１３】
ベースバンド信号および変調された信号を受け取る受信装置であって、
前記ベースバンド信号に同期した外部クロックに基づいて内部クロックを生成するＰＬＬ回路と、
前記変調された信号を復調し、復調された信号を出力する復調器と、
前記内部クロックを用いて、前記ベースバンド信号から再生クロックおよび再生データを生成する第１ＣＤＲ回路と、
前記内部クロックを用いて、前記復調された信号から再生クロックおよび再生データを生成する第２ＣＤＲ回路とを備える
受信装置。
【請求項１４】
請求項１３に記載の受信装置において、
前記ベースバンド信号は、ＨＤＭＩ信号であり、
前記変調された信号は、ＵＷＢ信号である
受信装置。
【請求項１５】
ベースバンド信号および変調された信号を受け取り、再生クロックおよび再生データを求める受信装置と、
前記再生クロックおよび前記再生データから映像信号を生成する信号処理器とを備え、
前記受信装置は、
前記ベースバンド信号に同期した外部クロックに基づいて第１内部クロックを生成する第１ＰＬＬ回路と、
前記変調された信号を復調し、復調された信号を出力する復調器と、
前記ベースバンド信号および前記復調された信号のうちの１つを選択する選択器と、
前記第１内部クロックを用いて、前記選択器で選択された信号から前記再生クロックおよび前記再生データを生成する第１ＣＤＲ回路とを有し、
前記受信装置と前記信号処理器とは、単一の半導体チップ上に形成されている
信号処理装置。
【請求項１６】
ベースバンド信号および変調された信号を受け取り、再生クロックおよび再生データを求める受信装置と、
前記再生クロックおよび前記再生データから映像信号を生成する信号処理器と、
前記映像信号によって表される映像を表示するディスプレイとを備え、
前記受信装置は、
前記ベースバンド信号に同期した外部クロックに基づいて第１内部クロックを生成する第１ＰＬＬ回路と、
前記変調された信号を復調し、復調された信号を出力する復調器と、
前記ベースバンド信号および前記復調された信号のうちの１つを選択する選択器と、
前記第１内部クロックを用いて、前記選択器で選択された信号から前記再生クロックおよび前記再生データを生成する第１ＣＤＲ回路とを有する
映像表示装置。
【請求項１７】
請求項１６に記載の映像表示装置において、
前記変調された信号を受信し、前記復調器に供給するアンテナを更に備える
映像表示装置。
【発明の詳細な説明】
【技術分野】
【０００１】
本明細書で開示される技術は、受信装置に関し、特に複数の通信方式の信号を受信する受信装置に関する。
【背景技術】
【０００２】
高精細映像の伝送を行うための通信方式として、ＨＤＭＩ（High-Definition Multimedia Interface）が知られている。ＨＤＭＩは有線通信方式であるが、例えば特許文献１には、ＨＤＭＩ信号を無線で伝送する技術が記載されている。非特許文献１には、６０ＧＨｚ帯の電波を用い、高精細映像を圧縮せずに伝送する方式が記載されている。また、ミリ波無線ＰＡＮ（Personal Area Network）についての規格がIEEE802.15.3cとして策定されつつある。
【先行技術文献】
【特許文献】
【０００３】
【特許文献１】国際公開第２００６／０５２３３９号
【非特許文献】
【０００４】
【非特許文献１】WirelessHD Specification Version 1.0 Overview，（米国），２００７年１０月９日
【発明の概要】
【発明が解決しようとする課題】
【０００５】
このように、高精細映像の伝送を行うための通信方式は複数存在している。複数の通信方式の信号を受信するためには、受信装置が複数の通信方式のそれぞれに対応した受信機を有するようにすればよい。しかし、対応する通信方式の数に応じて受信装置の回路規模が増大してしまう。【０００６】
本発明は、複数の通信方式の信号を受信する受信装置の回路規模を削減することを目的とする。
【課題を解決するための手段】
【０００７】
本発明の例示的実施形態による受信装置は、ベースバンド信号および変調された信号を受け取る受信装置であって、前記ベースバンド信号に同期した外部クロックに基づいて第１内部クロックを生成する第１ＰＬＬ（Phase Locked Loop）回路と、前記変調された信号を復調し、復調された信号を出力する復調器と、前記ベースバンド信号および前記復調された信号のうちの１つを選択する選択器と、前記第１内部クロックを用いて、前記選択器で選択された信号から再生クロックおよび再生データを生成する第１ＣＤＲ（Clock Data Recovery）回路とを有する。【０００８】
これによると、選択器がベースバンド信号および前記復調された信号のうちの１つを選択し、第１ＣＤＲ回路が選択器で選択された信号から再生クロックおよび再生データを生成するので、１つの第１ＣＤＲ回路でベースバンド信号および前記復調された信号を処理することができる。このため、ベースバンド信号および変調された信号の両方を受信する受信装置の回路規模を小さくすることができ、この受信装置を実現する半導体チップの面積を小さくすることができる。【０００９】
本発明の例示的実施形態による信号処理装置は、ベースバンド信号および変調された信号を受け取り、再生クロックおよび再生データを求める受信装置と、前記再生クロックおよび前記再生データから映像信号を生成する信号処理器とを有する。前記受信装置は、前記ベースバンド信号に同期した外部クロックに基づいて第１内部クロックを生成する第１ＰＬＬ回路と、前記変調された信号を復調し、復調された信号を出力する復調器と、前記ベースバンド信号および前記復調された信号のうちの１つを選択する選択器と、前記第１内部クロックを用いて、前記選択器で選択された信号から前記再生クロックおよび前記再生データを生成する第１ＣＤＲ回路とを有する。前記受信装置と前記信号処理器とは、単一の半導体チップ上に形成されている。【００１０】
本発明の例示的実施形態による映像表示装置は、ベースバンド信号および変調された信号を受け取り、再生クロックおよび再生データを求める受信装置と、前記再生クロックおよび前記再生データから映像信号を生成する信号処理器と、前記映像信号によって表される映像を表示するディスプレイとを有する。前記受信装置は、前記ベースバンド信号に同期した外部クロックに基づいて第１内部クロックを生成する第１ＰＬＬ回路と、前記変調された信号を復調し、復調された信号を出力する復調器と、前記ベースバンド信号および前記復調された信号のうちの１つを選択する選択器と、前記第１内部クロックを用いて、前記選択器で選択された信号から前記再生クロックおよび前記再生データを生成する第１ＣＤＲ回路とを有する。
【発明の効果】
【００１１】
本発明の例示的実施形態によれば、複数の通信方式の信号を受信する受信装置の回路規模を小さくすることができる。したがって、このような受信装置を実現する半導体チップの面積を小さくすることができ、受信装置のコストを低減することができる。
【図面の簡単な説明】
【００１２】
【図１】図１は、例示的実施形態による映像表示装置と、これに映像を送信する機器とを示す概念図である。
【図２】図２は、図１の映像表示装置の構成を示すブロック図である。
【図３】図３は、図２のＨＤＭＩ受信機が受け取るＨＤＭＩ信号に含まれる信号Ｂのスペクトラム例を示すグラフである。
【図４】図４は、図２のアンテナによって受け取られるＵＷＢ信号のスペクトラム例を示すグラフである。
【図５】図５は、図２の信号処理装置から出力される信号の切り替えの例を示すタイミング図である。
【図６】図６は、例示的実施形態の第１変形例による映像表示装置の構成を示すブロック図である。
【図７】図７は、例示的実施形態の第２変形例による映像表示装置の構成を示すブロック図である。
【図８】図８は、例示的実施形態の第３変形例による映像表示装置の構成を示すブロック図である。
【発明を実施するための形態】
【００１３】
以下、本発明の例示的実施形態について、図面を参照しながら説明する。図面において下２桁が同じ参照番号で示された構成要素は、互いに対応しており、同一のまたは類似の構成要素である。図面における機能ブロック間の実線は、電気的な接続を示している。
【００１４】
本明細書において、「変調された信号」という語は、超広帯域（Ultra Wide Band）無線システムに用いられ得る任意の信号（以下「ＵＷＢ信号」と呼ぶ）を指す。米国ＦＣＣ（Federal Communications Commission）は、ＵＷＢ信号を、５００ＭＨｚと中心周波数の２０％とのうち小さい方を超える帯域幅を有する無線信号と定義する。したがって本明細書で用いられる「変調された信号」という語は、米国ＦＣＣによって定義されたＵＷＢ信号を含む。
【００１５】
このようなＵＷＢ信号は、搬送波が変調された信号（搬送波成分を有する信号）と、インパルス無線方式で用いられる超短パルス信号との両方を含む。具体的には、変調された信号は、ＭＢ−ＯＦＤＭ（MultiBand Orthogonal Frequency Division Multiplexing）、ＤＳ−ＵＷＢ（Direct Sequence UWB）、CSM（Common Signaling Mode）など、IEEE802.15.3aおよびIEEE802.15.3cなどで採用される信号を含む。
【００１６】
本明細書において、「ＵＷＢ信号」という語は、図４のような変調された信号を含み、図３のようなベースバンド信号を含まない。ＵＷＢ信号は、例えばミリ波無線信号である。
【００１７】
本明細書において、「ベースバンド信号」という語は、搬送波の変調を伴わない信号を指す。換言すれば、ベースバンド信号は、搬送波成分を有しない信号である。例えば、ベースバンド信号は、ＨＤＭＩ規格で採用されるＴＭＤＳ（Transition Minimized Differential Signaling）のような伝送符号化された信号を含む。
【００１８】
本明細書における各機能ブロックは、典型的にはハードウェアで実現され得る。例えば各機能ブロックは、ＩＣ（集積回路）の一部として半導体基板上に形成され得る。ここでＩＣは、ＬＳＩ（Large-Scale Integrated circuit）、ＡＳＩＣ（Application-Specific Integrated Circuit）、ゲートアレイ、ＦＰＧＡ（Field Programmable Gate Array）などを含む。代替としては各機能ブロックの一部またはすべては、ソフトウェアで実現され得る。例えばそのような機能ブロックは、プロセッサ上で実行されるプログラムによって実現され得る。換言すれば、本明細書で説明される各機能ブロックは、ハードウェアで実現されてもよいし、ソフトウェアで実現されてもよいし、ハードウェアとソフトウェアとの任意の組合せで実現され得る。
【００１９】
（概略）
本発明の発明者は、動画を表すベースバンド信号をケーブルを介して受け取り、動画を表す変調された信号を無線で受け取り、それらのうちの少なくとも１つに基づいて映像を表示する装置を考案した。そのような映像表示装置は、ハードディスクレコーダー（ＨＤＲ）のような有線で接続された機器によって出力されたＨＤＭＩ信号をＨＤＭＩケーブルを通して受け取り、ＨＤＭＩ信号によって表される動画をディスプレイに表示する。映像表示装置は、デジタルビデオカメラのような無線で接続された機器によって出力されたＵＷＢ信号を受け取り、ＵＷＢ信号によって表される動画をディスプレイに表示する。
【００２０】
前述の例において、映像表示装置がＨＤＭＩ信号と、ＵＷＢ信号とを受け取るとき、映像表示装置は、ユーザがそれら信号のうちの１つを手動で選ぶことを可能にする。映像表示装置は、選択された信号に基づいて映像を表示する。代替として、映像表示装置がＨＤＭＩ信号に基づいて映像を表示しているときにＵＷＢ信号を受信すると、映像表示装置は、ＵＷＢ信号に基づいて映像を表示する。
【００２１】
要約すると映像表示装置は、ＨＤＭＩ信号およびＵＷＢ信号を受け取り、それらのうちの１つを選択的に表示できる。映像表示装置内で受信信号を処理する一部の構成要素は、これらの複数の通信方式の信号を処理する。例えば、映像表示装置内の単一のＣＤＲ（Clock Data Recovery）回路が、ＨＤＭＩ信号（ＨＤＭＩ規格に適合した信号であって、典型的にはＲ（赤）、Ｇ（緑）、Ｂ（青）、クロックの４信号を総称して呼ぶ）に含まれる１種類の信号と、ＵＷＢ信号とを選択的に処理する。これによりＨＤＭＩ信号およびＵＷＢ信号を処理する回路の構成が単純化され、回路を実現する半導体チップのサイズが小さくなる。
【００２２】
（実施形態）
図１は、例示的実施形態による映像表示装置１００と、これに映像を送信する機器とを示す概念図である。映像表示装置１００は、アンテナ１０２と、ディスプレイ１０４と、アンプ付きスピーカ１０６とを有している。
【００２３】
再生機器１７０は、映像および音声を伝送するＨＤＭＩ信号を、ＨＤＭＩケーブル１７２を介して映像表示装置１００に出力する。デジタルビデオカメラ１８０は、映像および音声を伝送するＵＷＢ信号１８５を映像表示装置１００に無線で伝送する。映像表示装置１００は、ＨＤＭＩ信号とＵＷＢ信号という、２つの異なる通信方式の信号のうちの１つを選択し、選択された信号が表す映像をディスプレイ１０４に表示させる。
【００２４】
再生機器１７０は、映像信号および音声信号のうちの少なくとも１つを出力する任意の機器である。例として再生機器１７０は、ＨＤＲ、ブルーレイディスクプレーヤー、ＤＶＤプレーヤー、ＣＤプレーヤー、パーソナルコンピュータ、ＦＭチューナーであり得る。以下では、映像表示装置１００がデジタルビデオカメラ１８０から送信されたＵＷＢ信号１８５を受信する場合を例として説明する。デジタルビデオカメラ１８０に代えて、デジタルカメラ、ポータブルオーディオ再生機器、ポータブルビデオ再生機器、携帯電話、ＨＤＲ、ブルーレイディスクプレーヤー、ＤＶＤプレーヤー、ＣＤプレーヤー、パーソナルコンピュータ、ＦＭチューナーなど、映像信号および音声信号のうちの少なくとも１つを出力する任意の機器から送信されたＵＷＢ信号を、映像表示装置１００が受信してもよい。
【００２５】
図２は、図１の映像表示装置１００の構成を示すブロック図である。映像表示装置１００は、アンテナ１０２と、信号処理装置２０８と、ディスプレイ１０４と、アンプ付きスピーカ１０６とを有する。映像表示装置１００は、例えばテレビ受像機であって、信号処理装置２０８は、このようなテレビ受像機に内蔵される。
【００２６】
再生機器１７０からＨＤＭＩケーブル１７２を介して伝送されるＨＤＭＩ信号１７５、およびデジタルビデオカメラ１８０から出力されたＵＷＢ信号１８５は、いずれも、映像のみを伝送してもよいし、音声のみを伝送してもよい。また、ＨＤＭＩ信号１７５およびＵＷＢ信号１８５は、いずれも、映像および音声の両方を伝送してもよいし、映像および音声以外のデータを伝送してもよい。
【００２７】
信号処理装置２０８は、受信装置２１０と、信号処理器２９０と、発振器２９５とを有する。受信装置２１０は、典型的には単一の半導体チップ上に形成され、単一のＬＳＩを構成する。受信装置２１０、信号処理器２９０、および発振器２９５は、典型的にはプリント回路基板に搭載される。受信装置２１０と信号処理器２９０とは、単一の半導体チップ上に形成され、単一のＩＣ（例えばＬＳＩ）を構成してもよい。
【００２８】
受信装置２１０は、ＨＤＭＩ受信機２２０と、選択器２４０と、ＵＷＢ受信機２５０と、ＣＤＲ回路２６２と、検出器２６４とを有する。ＨＤＭＩ受信機２２０は、ＰＬＬ（Phase Locked Loop）回路２２２と、イコライザ２２４、２２６、２２８と、ＣＤＲ回路２３０、２３２とを有する。選択器２４０は、スイッチ２４２、２４４、２４６を有する。
【００２９】
ＨＤＭＩ受信機２２０は、映像を表すＨＤＭＩ信号１７５を、ＨＤＭＩケーブル１７２を介して再生機器１７０から受け取る。ＨＤＭＩ信号１７５は、それぞれがベースバンド信号である信号Ｒ、Ｇ、Ｂ、およびクロックＣＬＫを含んでいる。クロックＣＬＫは、信号Ｒ、Ｇ、Ｂに同期している。クロックＣＬＫは、ＴＭＤＳクロックチャネルによって伝送され、信号Ｒ、Ｇ、Ｂは、ＴＭＤＳデータチャネル０、ＴＭＤＳデータチャネル１、ＴＭＤＳデータチャネル２によってそれぞれ伝送される。
【００３０】
図３は、図２のＨＤＭＩ受信機２２０が受け取るＨＤＭＩ信号１７５に含まれる信号Ｂのスペクトラム例を示すグラフである。信号Ｒ、Ｇも、同様のスペクトラムを有する。図３に示されるように、信号Ｒ、Ｇ、Ｂはベースバンド信号である。例として、信号Ｒ、Ｇ、Ｂのデータ伝送速度はいずれも２．２５Ｇｂｐｓであり、クロックＣＬＫの周波数は２２５ＭＨｚである。しかしＨＤＭＩ信号を構成する信号Ｒ、Ｇ、Ｂのデータ伝送速度およびクロックＣＬＫの周波数は、例示した値には限らず、任意の適切なデータ伝送速度および周波数が採用され得る。
【００３１】
信号Ｒ、Ｇ、Ｂは、映像のＲ成分、Ｇ成分、Ｂ成分をそれぞれ表す。映像は典型的には動画だが、静止画であってもよい。代替としてＨＤＭＩ受信機２２０は、映像の輝度成分および色差成分を表す信号を受け取ってもよい。一般的にＨＤＭＩ受信機２２０は、映像をシリアル伝送する任意の信号を受け取り得る。換言すれば、ＨＤＭＩ受信機２２０は、ＨＤＭＩ信号以外の映像を表す信号を、対応するクロックと共にシリアル信号として受け取ってもよい。
【００３２】
信号Ｒ、Ｇ、Ｂ、およびクロックＣＬＫは、いずれもＴＭＤＳと呼ばれる差動信号として実現され得る。典型的にはＴＭＤＳ方式のそれぞれの信号は、２本の信号線およびグラウンド線で伝送される。図２では簡潔さのために、グラウンド線は示されない。ＴＭＤＳは、高速シリアルデータ伝送のための技術として知られる。ＴＭＤＳは、信号レベルの遷移を少なくするように、各ビットを差動信号に変換して送信する。
【００３３】
イコライザ２２４は、信号Ｒに波形等化を行い、波形等化後の差動信号をＣＤＲ回路２３０に出力する。イコライザ２２６は、信号Ｇに波形等化を行い、波形等化後の差動信号をＣＤＲ回路２３２に出力する。イコライザ２２８は、信号Ｂに波形等化を行い、波形等化後の差動信号をスイッチ２４２、２４４に出力する。イコライザ２２４、２２６、２２８は、ケーブル減衰およびケーブルジッタを除去し、信号の振幅およびアイパターンを改善する。
【００３４】
ＰＬＬ回路２２２は、クロックＣＬＫに基づいて内部クロックＣＫ１を生成する。内部クロックＣＫ１は、例えば９相の多相クロックであって、その周波数はクロックＣＬＫの周波数の整数倍である。信号線上を伝送されるクロックＣＬＫもケーブル減衰およびケーブルジッタに曝される。よってＰＬＬ回路２２２が上述のイコライザ２２４、２２６、２２８と同様の機能を有してもよい。代替としてＰＬＬ回路２２２の前に、イコライザ（不図示）を設けてもよい。
【００３５】
ＣＤＲ回路２３０は、内部クロックＣＫ１を用いて、イコライザ２２４で波形等化された波形等化後の差動信号から再生クロックＲＣおよび再生データＲＤを生成し、信号処理器２９０に出力する。ＣＤＲ回路２３２は、内部クロックＣＫ１を用いて、イコライザ２２６で波形等化された波形等化後の差動信号から再生クロックＧＣおよび再生データＧＤを生成し、信号処理器２９０に出力する。
【００３６】
図４は、図２のアンテナ１０２によって受け取られるＵＷＢ信号１８５のスペクトラム例を示すグラフである。このＵＷＢ信号は、例えば周波数６０ＧＨｚの搬送波がＯＯＫ（On-Off Keying）変調されて得られた信号である。具体的にはこのＵＷＢ信号は、データ伝送速度１．７２８Ｇｂｐｓ、スペクトラムの中心周波数約６０ＧＨｚ、帯域幅約２ＧＨｚを呈する。
【００３７】
アンテナ１０２によって受け取られる無線信号は、一般に信号処理器２９０によって処理されるべき任意の信号であり得る。そのような無線信号は、例えばデジタルビデオカメラ１８０によって出力されたＵＷＢ信号１８５でありえ、典型的には映像および音声を表す。
【００３８】
しかしアンテナ１０２によって受信される信号は、搬送波が他の変調方式、例えばＡＳＫ（Amplitude Shift Keying）変調、ＢＰＳＫ（Binary Phase Shift Keying）変調、ＱＰＳＫ（Quadrature Phase Shift Keying）変調、およびＯＦＤＭ（Orthogonal Frequency Division Multiplexing）変調などの変調方式で変調された信号、ならびにインパルス無線信号であってもよい。アンテナ１０２によって受信される信号のデータ伝送速度、スペクトラムの中心周波数および帯域幅は、例示した値には限られず、任意の適切なデータ伝送速度、スペクトラムの中心周波数および帯域幅が採用され得る。
【００３９】
ＵＷＢ受信機２５０は、復調器２５２と、ＰＬＬ回路２５４とを有する。アンテナ１０２は、例えば図４のようなスペクトラムを有するＵＷＢ信号１８５を受信し、受信された信号をＵＷＢ信号ＭＭＷとして復調器２５２に供給する。
【００４０】
復調器２５２は、ＵＷＢ信号ＭＭＷを復調し、復調された信号を差動信号としてスイッチ２４２、２４４および検出器２６４に出力する。ＵＷＢ信号ＭＭＷがＯＯＫ変調された信号である場合には、復調器２５２は、ＵＷＢ信号ＭＭＷに対してエンベロープ検出をすることによって復調を行う。この例示的実施形態ではＵＷＢ信号ＭＭＷのための復調器２５２が用いられるが、受け取られるＵＷＢ信号にふさわしい任意の復調器が用いられ得る。
【００４１】
ＰＬＬ回路２５４は、参照信号ＲＥＦを発振器２９５から受け取る。参照信号ＲＥＦは、例えば水晶発振子を用いて生成された信号であって、その周波数は例えば２４ＭＨｚである。ＰＬＬ回路２５４は、参照信号ＲＥＦに基づいて内部クロックＣＫ２を生成する。内部クロックＣＫ２は、例えば９相の多相クロックであって、その周波数は参照信号ＲＥＦの周波数の整数倍である。図２においては、参照信号ＲＥＦは受信装置２１０の外部にある発振器２９５から供給される。発振器２９５は、例えば、水晶振動子の振動に基づいて発振する発振器である。
【００４２】
受信装置２１０は、参照信号ＲＥＦを生成する発振器２９５の一部を含んでいてもよい。受信装置２１０は水晶振動子を有しない自励発振器を含んでいてもよく、この場合には、受信装置２１０は、この自励発振器で生成された参照信号ＲＥＦを用いる。参照信号ＲＥＦは、信号処理装置２０８の外から供給されてもよいし、映像表示装置１００の外から供給されてもよい。
【００４３】
検出器２６４は、ＨＤＭＩ信号、およびＵＷＢ信号のうち、いずれが入力されているかを判定し、判定結果に応じた選択信号ＳＳを生成する。具体的には、検出器２６４は、クロックＣＬＫが入力されているときにはＨＤＭＩ信号が入力されていると判定し、復調器２５２で復調された信号が入力されているときにはＵＷＢ信号が入力されていると判定する。例えばＵＷＢ信号ＭＭＷがＯＯＫ変調された信号である場合には、復調器２５２で復調された信号はＵＷＢ信号ＭＭＷに対するエンベロープ検出結果である。このため、検出器２６４は、復調器２５２で復調された信号の振幅から、復調された信号が入力されているか否かを容易に知ることができる。検出器２６４は、判定結果に応じた選択信号ＳＳを生成し、スイッチ２４２、２４４、２４６に出力する。
【００４４】
検出器２６４は、復調器２５２で復調された信号が入力されているときには、ＵＷＢ信号の選択を表す選択信号ＳＳを生成し、クロックＣＬＫが入力されているときには、ＨＤＭＩ信号の選択を表す選択信号ＳＳを生成する。検出器２６４は、ＨＤＭＩ信号よりもＵＷＢ信号を優先して選択する。すなわち、検出器２６４は、復調器２５２で復調された信号が入力されているときには、ＵＷＢ信号の選択を表す選択信号ＳＳを生成し、復調器２５２で復調された信号が入力されていないときには、ＨＤＭＩ信号の選択を表す選択信号ＳＳを生成する。つまり、検出器２６４は、クロックＣＬＫおよび復調器２５２で復調された信号の両方が入力されているときには、ＵＷＢ信号の選択を表す選択信号ＳＳを生成する。
【００４５】
スイッチ２４２、２４４は、いずれも、イコライザ２２８で波形等化された波形等化後の差動信号および復調器２５２で復調された信号を受け取り、受け取られた信号のうちの１つを選択信号ＳＳに従って選択し、選択された信号をＣＤＲ回路２６２に出力する。具体的には、スイッチ２４２、２４４は、ＨＤＭＩ信号の選択を選択信号ＳＳが表すときには、イコライザ２２８からの波形等化後の差動信号を選択し、出力する。スイッチ２４２、２４４は、ＵＷＢ信号の選択を選択信号ＳＳが表すときには、復調器２５２で復調された信号を選択し、出力する。
【００４６】
スイッチ２４６は、内部クロックＣＫ１およびＣＫ２を受け取り、受け取られた信号のうちの１つを選択信号ＳＳに従って選択し、選択された信号をＣＤＲ回路２６２に出力する。具体的には、スイッチ２４６は、ＨＤＭＩ信号の選択を選択信号ＳＳが表すときには、内部クロックＣＫ１を選択し、出力する。スイッチ２４６は、ＵＷＢ信号の選択を選択信号ＳＳが表すときには、内部クロックＣＫ２を選択し、出力する。
【００４７】
ＣＤＲ回路２６２は、スイッチ２４６で選択された内部クロックを用いて、スイッチ２４２、２４４で選択された信号から再生クロックＢＣおよび再生データＢＤを生成し、信号処理器２９０に出力する。つまり、ＣＤＲ回路２６２は、アンテナ１０２がＵＷＢ信号１８５を受信するとき（すなわち復調器２５２が復調された信号を出力するとき）には、ＵＷＢ信号ＭＭＷから再生クロックＢＣおよび再生データＢＤを生成する。ＣＤＲ回路２６２は、アンテナ１０２がＵＷＢ信号１８５を受信しないとき（すなわち復調器２５２が復調された信号を出力しないとき）には、ＨＤＭＩ信号を構成する信号Ｂから再生クロックＢＣおよび再生データＢＤを生成する。
【００４８】
信号処理器２９０は、受信装置２１０で得られた再生クロックＲＣ、ＧＣ、ＢＣおよび再生データＲＤ、ＧＤ、ＢＤから、映像信号ＤＤおよび音声信号ＡＤを生成する。ディスプレイ１０４は、信号処理器２９０によって生成された映像信号ＤＤを受け取り、映像信号ＤＤによって表される映像を表示する。アンプ付きスピーカ１０６は、信号処理器２９０によって出力される音声信号ＡＤを受け取り、音声を発生する。
【００４９】
上述の構成により、ディスプレイ１０４は、ＵＷＢ信号１８５が受信されていない場合にはＨＤＭＩ信号で伝送された映像を表示し、ＵＷＢ信号１８５が受信されている場合にはＵＷＢ信号１８５で伝送された映像を表示する。換言すれば、信号処理装置２０８は、ＨＤＭＩ信号およびＵＷＢ信号をユーザの介在なしに選択して、選択された信号を外部機器に出力できる。
【００５０】
図５は、図２の信号処理装置２０８から出力される信号の切り替えの例を示すタイミング図である。図５の期間ＴＴ１においては、ＨＤＭＩ信号１７５もＵＷＢ信号１８５も入力されていないので、信号処理装置２０８は映像信号ＤＤを出力しない。期間ＴＴ２においては、ＨＤＭＩ信号１７５が入力されているが、ＵＷＢ信号１８５が入力されていないので、信号処理装置２０８はＨＤＭＩ信号１７５に基づく映像信号ＤＤを出力する。
【００５１】
期間ＴＴ３においては、ＨＤＭＩ信号１７５とＵＷＢ信号１８５とが入力されているので、信号処理装置２０８はＵＷＢ信号１８５を優先し、ＵＷＢ信号１８５に基づく映像信号ＤＤを出力する。期間ＴＴ４においては、ＨＤＭＩ信号１７５が入力されているが、ＵＷＢ信号１８５が入力されていないので、信号処理装置２０８は再びＨＤＭＩ信号１７５に基づく映像信号ＤＤを出力する。
【００５２】
このように、図２の受信装置２１０によると、受信装置２１０にケーブルで接続されていない機器（デジタルビデオカメラ１８０）からの映像がＵＷＢ信号１８５で伝送されると、その映像がディスプレイ１０４に出力され、表示される。したがって、新たにケーブルを接続することなく、他の機器からの映像をディスプレイ１０４に容易に表示することができるようになる。
【００５３】
ここで、期間ＴＴ２、ＴＴ３の長さは、例えば数秒〜数十分であるが、任意の長さであり得る。受信装置２１０や信号処理器２９０の処理速度が充分に高速であれば、数ｍｓ毎に切り替えて、ＨＤＭＩ信号とＵＷＢ信号とを時分割で処理するようにしてもよい。この場合、信号処理器２９０がＨＤＭＩ信号で伝送された映像とＵＷＢ信号で伝送された映像とを共に出力し、ディスプレイ１０４がこれらの映像を同時に表示するようにしてもよい。
【００５４】
ＨＤＭＩ受信機２２０およびＵＷＢ受信機２５０に対してパワーマネージメントを行ってもよい。検出器２６４は、復調器２５２で復調された信号が入力されている場合には、ＨＤＭＩ受信機２２０には動作を停止するように指示するパワーマネージメント信号２６６を、ＵＷＢ受信機２５０には動作を行うように指示するパワーマネージメント信号２６７を出力する。この場合、ＨＤＭＩ受信機２２０の少なくとも一部は動作を停止する。具体的には、ＰＬＬ回路２２２およびＣＤＲ回路２３０、２３２のうちの少なくとも１つは動作を停止する。更にイコライザ２２４、２２６、２２８が動作を停止してもよい。
【００５５】
検出器２６４は、復調器２５２で復調された信号が入力されておらず、かつ、クロックＣＬＫが入力されている場合には、ＨＤＭＩ受信機２２０には動作を行うように指示するパワーマネージメント信号２６６を、ＵＷＢ受信機２５０には動作を停止するように指示するパワーマネージメント信号２６７を出力する。この場合、ＵＷＢ受信機２５０の少なくとも一部は動作を停止する。具体的には、復調器２５２およびＰＬＬ回路２５４のうちの少なくとも１つは動作を停止する。
【００５６】
すなわち、検出器２６４は、クロックＣＬＫおよび復調器２５２で復調された信号の両方が入力されている場合には、ＨＤＭＩ受信機２２０には動作を停止するように指示するパワーマネージメント信号２６６を、ＵＷＢ受信機２５０には動作を行うように指示するパワーマネージメント信号２６７を出力する。このようなパワーマネージメントを行うことによって、受信装置２１０の消費電力を削減することができる。
【００５７】
なお、クロックＣＬＫおよび復調器２５２で復調された信号のいずれもが入力されていない場合に限って、ＰＬＬ回路２２２または２５４を停止させることとしてもよい。
【００５８】
以上の実施形態では、ＵＷＢ信号を優先して選択する場合について説明したが、ＨＤＭＩ信号を優先して選択するようにしてもよい。すなわち、検出器２６４は、クロックＣＬＫが入力されている場合には、ＨＤＭＩ信号を選択すべきことを示す選択信号ＳＳを生成し、その他の場合には、ＵＷＢ信号を選択すべきことを示す選択信号ＳＳを生成してもよい。つまり、クロックＣＬＫおよび復調器２５２で復調された信号の両方が入力されている場合には、検出器２６４は、ＨＤＭＩ信号を選択すべきことを示す選択信号ＳＳを生成する。すると、ＵＷＢ信号の有無にかかわらず、例えば予め設定された時刻になると再生機器１７０から出力されるＨＤＭＩ信号を選択して、ＨＤＭＩ信号の映像をディスプレイ１０４に表示させることが可能になる。
【００５９】
ＨＤＭＩ信号を優先して選択する場合には、次のようにパワーマネージメントを行う。検出器２６４は、クロックＣＬＫが入力されている場合には、ＨＤＭＩ受信機２２０には動作を行うように指示するパワーマネージメント信号２６６を、ＵＷＢ受信機２５０には動作を停止するように指示するパワーマネージメント信号２６７を出力する。この場合、ＵＷＢ受信機２５０の少なくとも一部は動作を停止する。
【００６０】
検出器２６４は、クロックＣＬＫが入力されておらず、かつ、復調器２５２で復調された信号が入力されている場合には、ＨＤＭＩ受信機２２０には動作を停止するように指示するパワーマネージメント信号２６６を、ＵＷＢ受信機２５０には動作を行うように指示するパワーマネージメント信号２６７を出力する。この場合、ＨＤＭＩ受信機２２０の少なくとも一部は動作を停止する。
【００６１】
すなわち、検出器２６４は、クロックＣＬＫおよび復調器２５２で復調された信号の両方が入力されている場合には、ＨＤＭＩ受信機２２０には動作を行うように指示するパワーマネージメント信号２６６を、ＵＷＢ受信機２５０には動作を停止するように指示するパワーマネージメント信号２６７を出力する。
【００６２】
なお、検出器２６４が、クロックＣＬＫが入力されているか否かを判定する場合について説明したが、ベースバンド信号である信号Ｒ、Ｇ、Ｂのうちの１つが入力されているか否かを検出器２６４が判定してもよい。ＨＤＭＩ信号として同時に入力されるクロックＣＬＫおよび信号Ｒ、Ｇ、Ｂのうちのいずれか１つについて判定すれば充分であるからである。検出器２６４は、クロックＣＬＫに代えて、イコライザ２２４、２２６、２２８のうちの１つの出力を検出するようにしてもよい。
【００６３】
ＨＤＭＩ信号が輝度信号および色差信号を含んでいる場合には、輝度信号および色差信号を伝送する３つのＴＭＤＳデータチャネルのうちの１つが入力されているか否かを検出器２６４が判定してもよい。
【００６４】
信号Ｒ、Ｇ、Ｂ、クロックＣＬＫ、イコライザ２２４、２２６、２２８の出力、および復調器２５２の出力が差動信号であるとして説明したが、これらの信号はシングルエンド信号であってもよいし、その他のいかなる形態の信号であってもよい。
【００６５】
映像表示装置１００が信号処理装置２０８の外にアンテナ１０２を有している場合について説明したが、信号処理装置２０８がアンテナ１０２を含み、受信装置２１０などが搭載されたプリント回路基板上にアンテナ１０２を有してもよい。この場合、アンテナ１０２は、プリント回路基板上に形成された配線パターンであってもよい。
【００６６】
受信装置２１０とアンテナ１０２とが単一の半導体チップ上に形成され、１つのＬＳＩを構成してもよい。ミリ波信号や、これに近い周波数の信号を受信する場合には、アンテナ１０２のサイズは数ｍｍ〜十数ｍｍ程度であることが多いので、アンテナ１０２を受信装置２１０と同じ半導体チップ上に形成することが可能である。受信装置２１０とアンテナ１０２とが単一の半導体チップ上に形成されていると、受信信号の伝送損失を低減したり、受信装置２１０に入力される信号を安定化することができ、受信装置２１０の受信性能を向上させることができる。部品点数が減少するので、製造コストの低下にもつながる。
【００６７】
（第１変形例）
図６は、例示的実施形態の第１変形例による映像表示装置６００の構成を示すブロック図である。映像表示装置６００は、検出器２６４を有しない点の他は、図２の映像表示装置１００とほぼ同様に構成されている。信号処理装置６０８は、信号処理装置２０８に対応する。選択器２４０には受信装置６１０の外部から選択信号ＳＳが与えられ、選択器２４０は、この選択信号ＳＳにしたがって選択を行う。
【００６８】
例えば、映像表示装置６００は、選択器２４０に有線で接続されたスイッチを受信装置６１０の外部に有する。このスイッチは、映像表示装置６００の筐体に設けられ、選択信号ＳＳを出力する。ユーザは、このスイッチを直接操作することによって選択信号ＳＳを設定してもよいし、このスイッチを無線リモコンによって遠隔操作してもよい。ここで、無線リモコンは、例えば赤外線や電波を介して情報を伝送する。代替として、映像表示装置６００の外部から選択信号ＳＳが与えられるようにしてもよい。
【００６９】
上述の構成により、ディスプレイ１０４は、ＨＤＭＩ信号１７５およびＵＷＢ信号１８５のうち、選択信号ＳＳで選択された信号で伝送された映像を表示する。換言すれば、信号処理装置６００は、ＨＤＭＩ信号１７５およびＵＷＢ信号１８５のうちの１つを、ユーザの操作や映像表示装置６００の外部からの信号に従って選択して、選択された信号を外部機器に出力できる。
【００７０】
（第２変形例）
図７は、例示的実施形態の第２変形例による映像表示装置７００の構成を示すブロック図である。映像表示装置７００は、スイッチ２４６、ＰＬＬ回路２５４および発振器２９５を有しない点の他は、図２の映像表示装置１００とほぼ同様に構成されている。信号処理装置７０８は、信号処理装置２０８に対応する。
【００７１】
選択信号ＳＳにかかわらず、ＣＤＲ回路２６２は、ＰＬＬ回路２２２で生成された内部クロックＣＫ１を受け取り、内部クロックＣＫ１を用いて、スイッチ２４２、２４４で選択された信号から再生クロックＢＣおよび再生データＢＤを生成し、信号処理器２９０に出力する。内部クロックＣＫ１は多相クロックであるので、スイッチ２４２、２４４で選択された信号のデータ伝送速度が変動しても、ＣＤＲ回路２６２は動作を行うことができる。映像表示装置７００によると、ＰＬＬ回路２５４および発振器２９５が不要であるので、図２の映像表示装置１００より構成を簡単にすることができる。
【００７２】
ＰＬＬ回路２２２が、クロックＣＬＫに代えて、例えば周波数２４ＭＨｚの参照信号ＲＥＦを受け取るようにしてもよい。この場合、ＰＬＬ回路２２２は、参照信号ＲＥＦに基づいて、内部クロックＣＫ１を生成する。内部クロックＣＫ１は、例えば９相の多相クロックであって、その周波数は参照信号ＲＥＦの周波数の整数倍である。
【００７３】
受信装置７１０が、クロックＣＬＫおよび参照信号ＲＥＦのうちの１つを選択してＰＬＬ回路２２２に出力するスイッチを更に有してもよい。このスイッチは、ＨＤＭＩ信号の選択を選択信号ＳＳが表すときにはクロックＣＬＫを選択し、ＵＷＢ信号の選択を選択信号ＳＳが表すときには参照信号ＲＥＦを選択する。すると、ＣＤＲ回路２６２の動作の安定化を図ることができる。
【００７４】
（第３変形例）
図８は、例示的実施形態の第３変形例による映像表示装置８００の構成を示すブロック図である。映像表示装置８００は、検出器２６４および選択器７４０を有せず、ＣＤＲ回路８５６を更に有する点の他は、図７の映像表示装置７００とほぼ同様に構成されている。信号処理装置８０８は、信号処理装置２０８に対応する。ＨＤＭＩ受信機８２０はＣＤＲ回路２６２を有し、ＵＷＢ受信機８５０はＣＤＲ回路８５６を有している。
【００７５】
ＣＤＲ回路２６２は、内部クロックＣＫ１を用いて、イコライザ２２８で波形等化された波形等化後の差動信号から再生クロックＢＣおよび再生データＢＤを生成し、信号処理器８９０に出力する。ＣＤＲ回路８５６は、内部クロックＣＫ１を用いて、復調器２５２で復調された信号から再生クロックＭＣおよび再生データＭＤを生成し、信号処理器８９０に出力する。信号処理器８９０は、ＨＤＭＩ信号に基づく再生クロックＲＣ、ＧＣ、ＢＣおよび再生データＲＤ、ＧＤ、ＢＤ、ならびにＵＷＢ信号に基づく再生クロックＭＣおよび再生データＭＤを適宜用いて、映像信号ＤＤおよび音声信号ＡＤを生成する。
【００７６】
映像表示装置８００によると、ＣＤＲ回路２６２およびＣＤＲ回路８５６が同時に動作可能であるので、ＨＤＭＩ信号とＵＷＢ信号とを同時に受信し、処理することができる。このため、ＨＤＭＩ信号により伝送された映像とＵＷＢ信号により伝送された映像とをディスプレイ１０４に同時に表示することができる。また、ＰＬＬ回路が１つで済むので、回路規模を抑えることができる。
【００７７】
ＨＤＭＩ受信機８２０およびＵＷＢ受信機８５０に対してパワーマネージメントを行ってもよい。ＨＤＭＩ信号とＵＷＢ信号との同時受信を行う必要がない場合には、ＨＤＭＩ受信機８２０およびＵＷＢ受信機８５０のうち、使われていない方の動作を停止させる。具体的には、受信装置８１０の外部から入力されたパワーマネージメント信号８６６に従って、ＨＤＭＩ受信機８２０が使われていない場合には、イコライザ２２４、２２６、２２８およびＣＤＲ回路２３０、２３２、２６２のうちの少なくとも１つは動作を停止し、ＵＷＢ受信機８５０が使われていない場合には、復調器２５２およびＣＤＲ回路８５６のうちの少なくとも１つは動作を停止する。
【００７８】
パワーマネージメント信号８６６は、例えばユーザの操作により、ＨＤＭＩ受信機８２０およびＵＷＢ受信機８５０に与えられる。なお、ＨＤＭＩ信号およびＵＷＢ信号のうち、いずれが入力されているかを判定する検出器を用い、その判定結果をパワーマネージメント信号８６６として用いてもよい。
【００７９】
本発明の多くの特徴および優位性は、記載された説明から明らかであり、よって添付の特許請求の範囲によって、本発明のそのような特徴および優位性の全てをカバーすることが意図される。さらに、多くの変更および改変が当業者には容易に可能であるので、本発明は、図示され記載されたものと全く同じ構成および動作に限定されるべきではない。したがって、全ての適切な改変物および等価物は本発明の範囲に入るものとされる。
【産業上の利用可能性】
【００８０】
以上説明したように、本発明のさまざまな実施形態によると、受信装置の低コスト化を図ることができるので、本発明は、受信装置などについて有用である。
【符号の説明】
【００８１】
１００、６００、７００、８００  映像表示装置
１０２  アンテナ
１０４  ディスプレイ
２０８、６０８、７０８、８０８  信号処理装置
２１０、６１０、７１０、８１０  受信装置
２２２、２５４  ＰＬＬ回路
２４０  選択器
２５２  復調器
２３０、２３２、２６２、８５６  ＣＤＲ回路
２６４  検出器
２９０、８９０  信号処理器
【図１】
2010052808.tif 000003
【図２】
2010052808.tif 000004
【図３】
2010052808.tif 000005
【図４】
2010052808.tif 000006
【図５】
2010052808.tif 000007
【図６】
2010052808.tif 000008
【図７】
2010052808.tif 000009
【図８】
2010052808.tif 000010
【手続補正書】
【提出日】平成23年3月4日(2011.3.4)
【手続補正１】
【補正対象書類名】明細書
【補正対象項目名】全文
【補正方法】変更
【補正の内容】
【発明の詳細な説明】
【技術分野】
【０００１】
本明細書で開示される技術は、受信装置に関し、特に複数の通信方式の信号を受信する受信装置に関する。
【背景技術】
【０００２】
高精細映像の伝送を行うための通信方式として、ＨＤＭＩ（High-Definition Multimedia Interface）が知られている。ＨＤＭＩは有線通信方式であるが、例えば特許文献１には、ＨＤＭＩ信号を無線で伝送する技術が記載されている。非特許文献１には、６０ＧＨｚ帯の電波を用い、高精細映像を圧縮せずに伝送する方式が記載されている。また、ミリ波無線ＰＡＮ（Personal Area Network）についての規格がIEEE802.15.3cとして策定されつつある。
【先行技術文献】
【特許文献】
【０００３】
【特許文献１】国際公開第２００６／０５２３３９号
【非特許文献】
【０００４】
【非特許文献１】WirelessHD Specification Version 1.0 Overview，（米国），２００７年１０月９日
【発明の概要】
【発明が解決しようとする課題】
【０００５】
このように、高精細映像の伝送を行うための通信方式は複数存在している。複数の通信方式の信号を受信するためには、受信装置が複数の通信方式のそれぞれに対応した受信機を有するようにすればよい。しかし、対応する通信方式の数に応じて受信装置の回路規模が増大してしまう。
【０００６】
本発明は、複数の通信方式の信号を受信する受信装置の回路規模を削減することを目的とする。
【課題を解決するための手段】
【０００７】
本発明の例示的実施形態による受信装置は、ベースバンド信号および変調された信号を受け取る受信装置であって、前記ベースバンド信号に同期した外部クロックに基づいて第１内部クロックを生成する第１ＰＬＬ（Phase Locked Loop）回路と、前記変調された信号を復調し、復調された信号を出力する復調器と、前記ベースバンド信号および前記復調された信号のうちの１つを選択する選択器と、前記第１内部クロックを用いて、前記選択器で選択された信号から再生クロックおよび再生データを生成する第１ＣＤＲ（Clock Data Recovery）回路とを有する。
【０００８】
これによると、選択器がベースバンド信号および前記復調された信号のうちの１つを選択し、第１ＣＤＲ回路が選択器で選択された信号から再生クロックおよび再生データを生成するので、１つの第１ＣＤＲ回路でベースバンド信号および前記復調された信号を処理することができる。このため、ベースバンド信号および変調された信号の両方を受信する受信装置の回路規模を小さくすることができ、この受信装置を実現する半導体チップの面積を小さくすることができる。
【０００９】
本発明の例示的実施形態による信号処理装置は、ベースバンド信号および変調された信号を受け取り、再生クロックおよび再生データを求める受信装置と、前記再生クロックおよび前記再生データから映像信号を生成する信号処理器とを有する。前記受信装置は、前記ベースバンド信号に同期した外部クロックに基づいて第１内部クロックを生成する第１ＰＬＬ回路と、前記変調された信号を復調し、復調された信号を出力する復調器と、前記ベースバンド信号および前記復調された信号のうちの１つを選択する選択器と、前記第１内部クロックを用いて、前記選択器で選択された信号から前記再生クロックおよび前記再生データを生成する第１ＣＤＲ回路とを有する。前記受信装置と前記信号処理器とは、単一の半導体チップ上に形成されている。
【００１０】
本発明の例示的実施形態による映像表示装置は、ベースバンド信号および変調された信号を受け取り、再生クロックおよび再生データを求める受信装置と、前記再生クロックおよび前記再生データから映像信号を生成する信号処理器と、前記映像信号によって表される映像を表示するディスプレイとを有する。前記受信装置は、前記ベースバンド信号に同期した外部クロックに基づいて第１内部クロックを生成する第１ＰＬＬ回路と、前記変調された信号を復調し、復調された信号を出力する復調器と、前記ベースバンド信号および前記復調された信号のうちの１つを選択する選択器と、前記第１内部クロックを用いて、前記選択器で選択された信号から前記再生クロックおよび前記再生データを生成する第１ＣＤＲ回路とを有する。
【発明の効果】
【００１１】
本発明の例示的実施形態によれば、複数の通信方式の信号を受信する受信装置の回路規模を小さくすることができる。したがって、このような受信装置を実現する半導体チップの面積を小さくすることができ、受信装置のコストを低減することができる。
【図面の簡単な説明】
【００１２】
【図１】例示的実施形態による映像表示装置と、これに映像を送信する機器とを示す概念図である。
【図２】図１の映像表示装置の構成を示すブロック図である。
【図３】図２のＨＤＭＩ受信機が受け取るＨＤＭＩ信号に含まれる信号Ｂのスペクトラム例を示すグラフである。
【図４】図２のアンテナによって受け取られるＵＷＢ信号のスペクトラム例を示すグラフである。
【図５】図２の信号処理装置から出力される信号の切り替えの例を示すタイミング図である。
【図６】例示的実施形態の第１変形例による映像表示装置の構成を示すブロック図である。
【図７】例示的実施形態の第２変形例による映像表示装置の構成を示すブロック図である。
【図８】例示的実施形態の第３変形例による映像表示装置の構成を示すブロック図である。
【発明を実施するための形態】
【００１３】
以下、本発明の例示的実施形態について、図面を参照しながら説明する。図面において下２桁が同じ参照番号で示された構成要素は、互いに対応しており、同一のまたは類似の構成要素である。図面における機能ブロック間の実線は、電気的な接続を示している。
【００１４】
本明細書において、「変調された信号」という語は、超広帯域（Ultra Wide Band）無線システムに用いられ得る任意の信号（以下「ＵＷＢ信号」と呼ぶ）を指す。米国ＦＣＣ（Federal Communications Commission）は、ＵＷＢ信号を、５００ＭＨｚと中心周波数の２０％とのうち小さい方を超える帯域幅を有する無線信号と定義する。したがって本明細書で用いられる「変調された信号」という語は、米国ＦＣＣによって定義されたＵＷＢ信号を含む。
【００１５】
このようなＵＷＢ信号は、搬送波が変調された信号（搬送波成分を有する信号）と、インパルス無線方式で用いられる超短パルス信号との両方を含む。具体的には、変調された信号は、ＭＢ−ＯＦＤＭ（MultiBand Orthogonal Frequency Division Multiplexing）、ＤＳ−ＵＷＢ（Direct Sequence UWB）、CSM（Common Signaling Mode）など、IEEE802.15.3aおよびIEEE802.15.3cなどで採用される信号を含む。
【００１６】
本明細書において、「ＵＷＢ信号」という語は、図４のような変調された信号を含み、図３のようなベースバンド信号を含まない。ＵＷＢ信号は、例えばミリ波無線信号である。
【００１７】
本明細書において、「ベースバンド信号」という語は、搬送波の変調を伴わない信号を指す。換言すれば、ベースバンド信号は、搬送波成分を有しない信号である。例えば、ベースバンド信号は、ＨＤＭＩ規格で採用されるＴＭＤＳ（Transition Minimized Differential Signaling）のような伝送符号化された信号を含む。
【００１８】
本明細書における各機能ブロックは、典型的にはハードウェアで実現され得る。例えば各機能ブロックは、ＩＣ（集積回路）の一部として半導体基板上に形成され得る。ここでＩＣは、ＬＳＩ（Large-Scale Integrated circuit）、ＡＳＩＣ（Application-Specific Integrated Circuit）、ゲートアレイ、ＦＰＧＡ（Field Programmable Gate Array）などを含む。代替としては各機能ブロックの一部またはすべては、ソフトウェアで実現され得る。例えばそのような機能ブロックは、プロセッサ上で実行されるプログラムによって実現され得る。換言すれば、本明細書で説明される各機能ブロックは、ハードウェアで実現されてもよいし、ソフトウェアで実現されてもよいし、ハードウェアとソフトウェアとの任意の組合せで実現され得る。
【００１９】
（概略）
本発明の発明者は、動画を表すベースバンド信号をケーブルを介して受け取り、動画を表す変調された信号を無線で受け取り、それらのうちの少なくとも１つに基づいて映像を表示する装置を考案した。そのような映像表示装置は、ハードディスクレコーダー（ＨＤＲ）のような有線で接続された機器によって出力されたＨＤＭＩ信号をＨＤＭＩケーブルを通して受け取り、ＨＤＭＩ信号によって表される動画をディスプレイに表示する。映像表示装置は、デジタルビデオカメラのような無線で接続された機器によって出力されたＵＷＢ信号を受け取り、ＵＷＢ信号によって表される動画をディスプレイに表示する。
【００２０】
前述の例において、映像表示装置がＨＤＭＩ信号と、ＵＷＢ信号とを受け取るとき、映像表示装置は、ユーザがそれら信号のうちの１つを手動で選ぶことを可能にする。映像表示装置は、選択された信号に基づいて映像を表示する。代替として、映像表示装置がＨＤＭＩ信号に基づいて映像を表示しているときにＵＷＢ信号を受信すると、映像表示装置は、ＵＷＢ信号に基づいて映像を表示する。
【００２１】
要約すると映像表示装置は、ＨＤＭＩ信号およびＵＷＢ信号を受け取り、それらのうちの１つを選択的に表示できる。映像表示装置内で受信信号を処理する一部の構成要素は、これらの複数の通信方式の信号を処理する。例えば、映像表示装置内の単一のＣＤＲ（Clock Data Recovery）回路が、ＨＤＭＩ信号（ＨＤＭＩ規格に適合した信号であって、典型的にはＲ（赤）、Ｇ（緑）、Ｂ（青）、クロックの４信号を総称して呼ぶ）に含まれる１種類の信号と、ＵＷＢ信号とを選択的に処理する。これによりＨＤＭＩ信号およびＵＷＢ信号を処理する回路の構成が単純化され、回路を実現する半導体チップのサイズが小さくなる。
【００２２】
（実施形態）
図１は、例示的実施形態による映像表示装置１００と、これに映像を送信する機器とを示す概念図である。映像表示装置１００は、アンテナ１０２と、ディスプレイ１０４と、アンプ付きスピーカ１０６とを有している。
【００２３】
再生機器１７０は、映像および音声を伝送するＨＤＭＩ信号を、ＨＤＭＩケーブル１７２を介して映像表示装置１００に出力する。デジタルビデオカメラ１８０は、映像および音声を伝送するＵＷＢ信号１８５を映像表示装置１００に無線で伝送する。映像表示装置１００は、ＨＤＭＩ信号とＵＷＢ信号という、２つの異なる通信方式の信号のうちの１つを選択し、選択された信号が表す映像をディスプレイ１０４に表示させる。
【００２４】
再生機器１７０は、映像信号および音声信号のうちの少なくとも１つを出力する任意の機器である。例として再生機器１７０は、ＨＤＲ、ブルーレイディスクプレーヤー、ＤＶＤプレーヤー、ＣＤプレーヤー、パーソナルコンピュータ、ＦＭチューナーであり得る。以下では、映像表示装置１００がデジタルビデオカメラ１８０から送信されたＵＷＢ信号１８５を受信する場合を例として説明する。デジタルビデオカメラ１８０に代えて、デジタルカメラ、ポータブルオーディオ再生機器、ポータブルビデオ再生機器、携帯電話、ＨＤＲ、ブルーレイディスクプレーヤー、ＤＶＤプレーヤー、ＣＤプレーヤー、パーソナルコンピュータ、ＦＭチューナーなど、映像信号および音声信号のうちの少なくとも１つを出力する任意の機器から送信されたＵＷＢ信号を、映像表示装置１００が受信してもよい。
【００２５】
図２は、図１の映像表示装置１００の構成を示すブロック図である。映像表示装置１００は、アンテナ１０２と、信号処理装置２０８と、ディスプレイ１０４と、アンプ付きスピーカ１０６とを有する。映像表示装置１００は、例えばテレビ受像機であって、信号処理装置２０８は、このようなテレビ受像機に内蔵される。
【００２６】
再生機器１７０からＨＤＭＩケーブル１７２を介して伝送されるＨＤＭＩ信号１７５、およびデジタルビデオカメラ１８０から出力されたＵＷＢ信号１８５は、いずれも、映像のみを伝送してもよいし、音声のみを伝送してもよい。また、ＨＤＭＩ信号１７５およびＵＷＢ信号１８５は、いずれも、映像および音声の両方を伝送してもよいし、映像および音声以外のデータを伝送してもよい。
【００２７】
信号処理装置２０８は、受信装置２１０と、信号処理器２９０と、発振器２９５とを有する。受信装置２１０は、典型的には単一の半導体チップ上に形成され、単一のＬＳＩを構成する。受信装置２１０、信号処理器２９０、および発振器２９５は、典型的にはプリント回路基板に搭載される。受信装置２１０と信号処理器２９０とは、単一の半導体チップ上に形成され、単一のＩＣ（例えばＬＳＩ）を構成してもよい。
【００２８】
受信装置２１０は、ＨＤＭＩ受信機２２０と、選択器２４０と、ＵＷＢ受信機２５０と、ＣＤＲ回路２６２と、検出器２６４とを有する。ＨＤＭＩ受信機２２０は、ＰＬＬ（Phase Locked Loop）回路２２２と、イコライザ２２４、２２６、２２８と、ＣＤＲ回路２３０、２３２とを有する。選択器２４０は、スイッチ２４２、２４４、２４６を有する。
【００２９】
ＨＤＭＩ受信機２２０は、映像を表すＨＤＭＩ信号１７５を、ＨＤＭＩケーブル１７２を介して再生機器１７０から受け取る。ＨＤＭＩ信号１７５は、それぞれがベースバンド信号である信号Ｒ、Ｇ、Ｂ、およびクロックＣＬＫを含んでいる。クロックＣＬＫは、信号Ｒ、Ｇ、Ｂに同期している。クロックＣＬＫは、ＴＭＤＳクロックチャネルによって伝送され、信号Ｒ、Ｇ、Ｂは、ＴＭＤＳデータチャネル０、ＴＭＤＳデータチャネル１、ＴＭＤＳデータチャネル２によってそれぞれ伝送される。
【００３０】
図３は、図２のＨＤＭＩ受信機２２０が受け取るＨＤＭＩ信号１７５に含まれる信号Ｂのスペクトラム例を示すグラフである。信号Ｒ、Ｇも、同様のスペクトラムを有する。図３に示されるように、信号Ｒ、Ｇ、Ｂはベースバンド信号である。例として、信号Ｒ、Ｇ、Ｂのデータ伝送速度はいずれも２．２５Ｇｂｐｓであり、クロックＣＬＫの周波数は２２５ＭＨｚである。しかしＨＤＭＩ信号を構成する信号Ｒ、Ｇ、Ｂのデータ伝送速度およびクロックＣＬＫの周波数は、例示した値には限らず、任意の適切なデータ伝送速度および周波数が採用され得る。
【００３１】
信号Ｒ、Ｇ、Ｂは、映像のＲ成分、Ｇ成分、Ｂ成分をそれぞれ表す。映像は典型的には動画だが、静止画であってもよい。代替としてＨＤＭＩ受信機２２０は、映像の輝度成分および色差成分を表す信号を受け取ってもよい。一般的にＨＤＭＩ受信機２２０は、映像をシリアル伝送する任意の信号を受け取り得る。換言すれば、ＨＤＭＩ受信機２２０は、ＨＤＭＩ信号以外の映像を表す信号を、対応するクロックと共にシリアル信号として受け取ってもよい。
【００３２】
信号Ｒ、Ｇ、Ｂ、およびクロックＣＬＫは、いずれもＴＭＤＳと呼ばれる差動信号として実現され得る。典型的にはＴＭＤＳ方式のそれぞれの信号は、２本の信号線およびグラウンド線で伝送される。図２では簡潔さのために、グラウンド線は示されない。ＴＭＤＳは、高速シリアルデータ伝送のための技術として知られる。ＴＭＤＳは、信号レベルの遷移を少なくするように、各ビットを差動信号に変換して送信する。
【００３３】
イコライザ２２４は、信号Ｒに波形等化を行い、波形等化後の差動信号をＣＤＲ回路２３０に出力する。イコライザ２２６は、信号Ｇに波形等化を行い、波形等化後の差動信号をＣＤＲ回路２３２に出力する。イコライザ２２８は、信号Ｂに波形等化を行い、波形等化後の差動信号をスイッチ２４２、２４４に出力する。イコライザ２２４、２２６、２２８は、ケーブル減衰およびケーブルジッタを除去し、信号の振幅およびアイパターンを改善する。
【００３４】
ＰＬＬ回路２２２は、クロックＣＬＫに基づいて内部クロックＣＫ１を生成する。内部クロックＣＫ１は、例えば９相の多相クロックであって、その周波数はクロックＣＬＫの周波数の整数倍である。信号線上を伝送されるクロックＣＬＫもケーブル減衰およびケーブルジッタに曝される。よってＰＬＬ回路２２２が上述のイコライザ２２４、２２６、２２８と同様の機能を有してもよい。代替としてＰＬＬ回路２２２の前に、イコライザ（不図示）を設けてもよい。
【００３５】
ＣＤＲ回路２３０は、内部クロックＣＫ１を用いて、イコライザ２２４で波形等化された波形等化後の差動信号から再生クロックＲＣおよび再生データＲＤを生成し、信号処理器２９０に出力する。ＣＤＲ回路２３２は、内部クロックＣＫ１を用いて、イコライザ２２６で波形等化された波形等化後の差動信号から再生クロックＧＣおよび再生データＧＤを生成し、信号処理器２９０に出力する。
【００３６】
図４は、図２のアンテナ１０２によって受け取られるＵＷＢ信号１８５のスペクトラム例を示すグラフである。このＵＷＢ信号は、例えば周波数６０ＧＨｚの搬送波がＯＯＫ（On-Off Keying）変調されて得られた信号である。具体的にはこのＵＷＢ信号は、データ伝送速度１．７２８Ｇｂｐｓ、スペクトラムの中心周波数約６０ＧＨｚ、帯域幅約２ＧＨｚを呈する。
【００３７】
アンテナ１０２によって受け取られる無線信号は、一般に信号処理器２９０によって処理されるべき任意の信号であり得る。そのような無線信号は、例えばデジタルビデオカメラ１８０によって出力されたＵＷＢ信号１８５でありえ、典型的には映像および音声を表す。
【００３８】
しかしアンテナ１０２によって受信される信号は、搬送波が他の変調方式、例えばＡＳＫ（Amplitude Shift Keying）変調、ＢＰＳＫ（Binary Phase Shift Keying）変調、ＱＰＳＫ（Quadrature Phase Shift Keying）変調、およびＯＦＤＭ（Orthogonal Frequency Division Multiplexing）変調などの変調方式で変調された信号、ならびにインパルス無線信号であってもよい。アンテナ１０２によって受信される信号のデータ伝送速度、スペクトラムの中心周波数および帯域幅は、例示した値には限られず、任意の適切なデータ伝送速度、スペクトラムの中心周波数および帯域幅が採用され得る。
【００３９】
ＵＷＢ受信機２５０は、復調器２５２と、ＰＬＬ回路２５４とを有する。アンテナ１０２は、例えば図４のようなスペクトラムを有するＵＷＢ信号１８５を受信し、受信された信号をＵＷＢ信号ＭＭＷとして復調器２５２に供給する。
【００４０】
復調器２５２は、ＵＷＢ信号ＭＭＷを復調し、復調された信号を差動信号としてスイッチ２４２、２４４および検出器２６４に出力する。ＵＷＢ信号ＭＭＷがＯＯＫ変調された信号である場合には、復調器２５２は、ＵＷＢ信号ＭＭＷに対してエンベロープ検出をすることによって復調を行う。この例示的実施形態ではＵＷＢ信号ＭＭＷのための復調器２５２が用いられるが、受け取られるＵＷＢ信号にふさわしい任意の復調器が用いられ得る。
【００４１】
ＰＬＬ回路２５４は、参照信号ＲＥＦを発振器２９５から受け取る。参照信号ＲＥＦは、例えば水晶発振子を用いて生成された信号であって、その周波数は例えば２４ＭＨｚである。ＰＬＬ回路２５４は、参照信号ＲＥＦに基づいて内部クロックＣＫ２を生成する。内部クロックＣＫ２は、例えば９相の多相クロックであって、その周波数は参照信号ＲＥＦの周波数の整数倍である。図２においては、参照信号ＲＥＦは受信装置２１０の外部にある発振器２９５から供給される。発振器２９５は、例えば、水晶振動子の振動に基づいて発振する発振器である。
【００４２】
受信装置２１０は、参照信号ＲＥＦを生成する発振器２９５の一部を含んでいてもよい。受信装置２１０は水晶振動子を有しない自励発振器を含んでいてもよく、この場合には、受信装置２１０は、この自励発振器で生成された参照信号ＲＥＦを用いる。参照信号ＲＥＦは、信号処理装置２０８の外から供給されてもよいし、映像表示装置１００の外から供給されてもよい。
【００４３】
検出器２６４は、ＨＤＭＩ信号、およびＵＷＢ信号のうち、いずれが入力されているかを判定し、判定結果に応じた選択信号ＳＳを生成する。具体的には、検出器２６４は、クロックＣＬＫが入力されているときにはＨＤＭＩ信号が入力されていると判定し、復調器２５２で復調された信号が入力されているときにはＵＷＢ信号が入力されていると判定する。例えばＵＷＢ信号ＭＭＷがＯＯＫ変調された信号である場合には、復調器２５２で復調された信号はＵＷＢ信号ＭＭＷに対するエンベロープ検出結果である。このため、検出器２６４は、復調器２５２で復調された信号の振幅から、復調された信号が入力されているか否かを容易に知ることができる。検出器２６４は、判定結果に応じた選択信号ＳＳを生成し、スイッチ２４２、２４４、２４６に出力する。
【００４４】
検出器２６４は、復調器２５２で復調された信号が入力されているときには、ＵＷＢ信号の選択を表す選択信号ＳＳを生成し、クロックＣＬＫが入力されているときには、ＨＤＭＩ信号の選択を表す選択信号ＳＳを生成する。検出器２６４は、ＨＤＭＩ信号よりもＵＷＢ信号を優先して選択する。すなわち、検出器２６４は、復調器２５２で復調された信号が入力されているときには、ＵＷＢ信号の選択を表す選択信号ＳＳを生成し、復調器２５２で復調された信号が入力されていないときには、ＨＤＭＩ信号の選択を表す選択信号ＳＳを生成する。つまり、検出器２６４は、クロックＣＬＫおよび復調器２５２で復調された信号の両方が入力されているときには、ＵＷＢ信号の選択を表す選択信号ＳＳを生成する。
【００４５】
スイッチ２４２、２４４は、いずれも、イコライザ２２８で波形等化された波形等化後の差動信号および復調器２５２で復調された信号を受け取り、受け取られた信号のうちの１つを選択信号ＳＳに従って選択し、選択された信号をＣＤＲ回路２６２に出力する。具体的には、スイッチ２４２、２４４は、ＨＤＭＩ信号の選択を選択信号ＳＳが表すときには、イコライザ２２８からの波形等化後の差動信号を選択し、出力する。スイッチ２４２、２４４は、ＵＷＢ信号の選択を選択信号ＳＳが表すときには、復調器２５２で復調された信号を選択し、出力する。
【００４６】
スイッチ２４６は、内部クロックＣＫ１およびＣＫ２を受け取り、受け取られた信号のうちの１つを選択信号ＳＳに従って選択し、選択された信号をＣＤＲ回路２６２に出力する。具体的には、スイッチ２４６は、ＨＤＭＩ信号の選択を選択信号ＳＳが表すときには、内部クロックＣＫ１を選択し、出力する。スイッチ２４６は、ＵＷＢ信号の選択を選択信号ＳＳが表すときには、内部クロックＣＫ２を選択し、出力する。
【００４７】
ＣＤＲ回路２６２は、スイッチ２４６で選択された内部クロックを用いて、スイッチ２４２、２４４で選択された信号から再生クロックＢＣおよび再生データＢＤを生成し、信号処理器２９０に出力する。つまり、ＣＤＲ回路２６２は、アンテナ１０２がＵＷＢ信号１８５を受信するとき（すなわち復調器２５２が復調された信号を出力するとき）には、ＵＷＢ信号ＭＭＷから再生クロックＢＣおよび再生データＢＤを生成する。ＣＤＲ回路２６２は、アンテナ１０２がＵＷＢ信号１８５を受信しないとき（すなわち復調器２５２が復調された信号を出力しないとき）には、ＨＤＭＩ信号を構成する信号Ｂから再生クロックＢＣおよび再生データＢＤを生成する。
【００４８】
信号処理器２９０は、受信装置２１０で得られた再生クロックＲＣ、ＧＣ、ＢＣおよび再生データＲＤ、ＧＤ、ＢＤから、映像信号ＤＤおよび音声信号ＡＤを生成する。ディスプレイ１０４は、信号処理器２９０によって生成された映像信号ＤＤを受け取り、映像信号ＤＤによって表される映像を表示する。アンプ付きスピーカ１０６は、信号処理器２９０によって出力される音声信号ＡＤを受け取り、音声を発生する。
【００４９】
上述の構成により、ディスプレイ１０４は、ＵＷＢ信号１８５が受信されていない場合にはＨＤＭＩ信号で伝送された映像を表示し、ＵＷＢ信号１８５が受信されている場合にはＵＷＢ信号１８５で伝送された映像を表示する。換言すれば、信号処理装置２０８は、ＨＤＭＩ信号およびＵＷＢ信号をユーザの介在なしに選択して、選択された信号を外部機器に出力できる。
【００５０】
図５は、図２の信号処理装置２０８から出力される信号の切り替えの例を示すタイミング図である。図５の期間ＴＴ１においては、ＨＤＭＩ信号１７５もＵＷＢ信号１８５も入力されていないので、信号処理装置２０８は映像信号ＤＤを出力しない。期間ＴＴ２においては、ＨＤＭＩ信号１７５が入力されているが、ＵＷＢ信号１８５が入力されていないので、信号処理装置２０８はＨＤＭＩ信号１７５に基づく映像信号ＤＤを出力する。
【００５１】
期間ＴＴ３においては、ＨＤＭＩ信号１７５とＵＷＢ信号１８５とが入力されているので、信号処理装置２０８はＵＷＢ信号１８５を優先し、ＵＷＢ信号１８５に基づく映像信号ＤＤを出力する。期間ＴＴ４においては、ＨＤＭＩ信号１７５が入力されているが、ＵＷＢ信号１８５が入力されていないので、信号処理装置２０８は再びＨＤＭＩ信号１７５に基づく映像信号ＤＤを出力する。
【００５２】
このように、図２の受信装置２１０によると、受信装置２１０にケーブルで接続されていない機器（デジタルビデオカメラ１８０）からの映像がＵＷＢ信号１８５で伝送されると、その映像がディスプレイ１０４に出力され、表示される。したがって、新たにケーブルを接続することなく、他の機器からの映像をディスプレイ１０４に容易に表示することができるようになる。
【００５３】
ここで、期間ＴＴ２、ＴＴ３の長さは、例えば数秒〜数十分であるが、任意の長さであり得る。受信装置２１０や信号処理器２９０の処理速度が充分に高速であれば、数ｍｓ毎に切り替えて、ＨＤＭＩ信号とＵＷＢ信号とを時分割で処理するようにしてもよい。この場合、信号処理器２９０がＨＤＭＩ信号で伝送された映像とＵＷＢ信号で伝送された映像とを共に出力し、ディスプレイ１０４がこれらの映像を同時に表示するようにしてもよい。
【００５４】
ＨＤＭＩ受信機２２０およびＵＷＢ受信機２５０に対してパワーマネージメントを行ってもよい。検出器２６４は、復調器２５２で復調された信号が入力されている場合には、ＨＤＭＩ受信機２２０には動作を停止するように指示するパワーマネージメント信号２６６を、ＵＷＢ受信機２５０には動作を行うように指示するパワーマネージメント信号２６７を出力する。この場合、ＨＤＭＩ受信機２２０の少なくとも一部は動作を停止する。具体的には、ＰＬＬ回路２２２およびＣＤＲ回路２３０、２３２のうちの少なくとも１つは動作を停止する。更にイコライザ２２４、２２６、２２８が動作を停止してもよい。
【００５５】
検出器２６４は、復調器２５２で復調された信号が入力されておらず、かつ、クロックＣＬＫが入力されている場合には、ＨＤＭＩ受信機２２０には動作を行うように指示するパワーマネージメント信号２６６を、ＵＷＢ受信機２５０には動作を停止するように指示するパワーマネージメント信号２６７を出力する。この場合、ＵＷＢ受信機２５０の少なくとも一部は動作を停止する。具体的には、復調器２５２およびＰＬＬ回路２５４のうちの少なくとも１つは動作を停止する。
【００５６】
すなわち、検出器２６４は、クロックＣＬＫおよび復調器２５２で復調された信号の両方が入力されている場合には、ＨＤＭＩ受信機２２０には動作を停止するように指示するパワーマネージメント信号２６６を、ＵＷＢ受信機２５０には動作を行うように指示するパワーマネージメント信号２６７を出力する。このようなパワーマネージメントを行うことによって、受信装置２１０の消費電力を削減することができる。
【００５７】
なお、クロックＣＬＫおよび復調器２５２で復調された信号のいずれもが入力されていない場合に限って、ＰＬＬ回路２２２または２５４を停止させることとしてもよい。
【００５８】
以上の実施形態では、ＵＷＢ信号を優先して選択する場合について説明したが、ＨＤＭＩ信号を優先して選択するようにしてもよい。すなわち、検出器２６４は、クロックＣＬＫが入力されている場合には、ＨＤＭＩ信号を選択すべきことを示す選択信号ＳＳを生成し、その他の場合には、ＵＷＢ信号を選択すべきことを示す選択信号ＳＳを生成してもよい。つまり、クロックＣＬＫおよび復調器２５２で復調された信号の両方が入力されている場合には、検出器２６４は、ＨＤＭＩ信号を選択すべきことを示す選択信号ＳＳを生成する。すると、ＵＷＢ信号の有無にかかわらず、例えば予め設定された時刻になると再生機器１７０から出力されるＨＤＭＩ信号を選択して、ＨＤＭＩ信号の映像をディスプレイ１０４に表示させることが可能になる。
【００５９】
ＨＤＭＩ信号を優先して選択する場合には、次のようにパワーマネージメントを行う。検出器２６４は、クロックＣＬＫが入力されている場合には、ＨＤＭＩ受信機２２０には動作を行うように指示するパワーマネージメント信号２６６を、ＵＷＢ受信機２５０には動作を停止するように指示するパワーマネージメント信号２６７を出力する。この場合、ＵＷＢ受信機２５０の少なくとも一部は動作を停止する。
【００６０】
検出器２６４は、クロックＣＬＫが入力されておらず、かつ、復調器２５２で復調された信号が入力されている場合には、ＨＤＭＩ受信機２２０には動作を停止するように指示するパワーマネージメント信号２６６を、ＵＷＢ受信機２５０には動作を行うように指示するパワーマネージメント信号２６７を出力する。この場合、ＨＤＭＩ受信機２２０の少なくとも一部は動作を停止する。
【００６１】
すなわち、検出器２６４は、クロックＣＬＫおよび復調器２５２で復調された信号の両方が入力されている場合には、ＨＤＭＩ受信機２２０には動作を行うように指示するパワーマネージメント信号２６６を、ＵＷＢ受信機２５０には動作を停止するように指示するパワーマネージメント信号２６７を出力する。
【００６２】
なお、検出器２６４が、クロックＣＬＫが入力されているか否かを判定する場合について説明したが、ベースバンド信号である信号Ｒ、Ｇ、Ｂのうちの１つが入力されているか否かを検出器２６４が判定してもよい。ＨＤＭＩ信号として同時に入力されるクロックＣＬＫおよび信号Ｒ、Ｇ、Ｂのうちのいずれか１つについて判定すれば充分であるからである。検出器２６４は、クロックＣＬＫに代えて、イコライザ２２４、２２６、２２８のうちの１つの出力を検出するようにしてもよい。
【００６３】
ＨＤＭＩ信号が輝度信号および色差信号を含んでいる場合には、輝度信号および色差信号を伝送する３つのＴＭＤＳデータチャネルのうちの１つが入力されているか否かを検出器２６４が判定してもよい。
【００６４】
信号Ｒ、Ｇ、Ｂ、クロックＣＬＫ、イコライザ２２４、２２６、２２８の出力、および復調器２５２の出力が差動信号であるとして説明したが、これらの信号はシングルエンド信号であってもよいし、その他のいかなる形態の信号であってもよい。
【００６５】
映像表示装置１００が信号処理装置２０８の外にアンテナ１０２を有している場合について説明したが、信号処理装置２０８がアンテナ１０２を含み、受信装置２１０などが搭載されたプリント回路基板上にアンテナ１０２を有してもよい。この場合、アンテナ１０２は、プリント回路基板上に形成された配線パターンであってもよい。
【００６６】
受信装置２１０とアンテナ１０２とが単一の半導体チップ上に形成され、１つのＬＳＩを構成してもよい。ミリ波信号や、これに近い周波数の信号を受信する場合には、アンテナ１０２のサイズは数ｍｍ〜十数ｍｍ程度であることが多いので、アンテナ１０２を受信装置２１０と同じ半導体チップ上に形成することが可能である。受信装置２１０とアンテナ１０２とが単一の半導体チップ上に形成されていると、受信信号の伝送損失を低減したり、受信装置２１０に入力される信号を安定化することができ、受信装置２１０の受信性能を向上させることができる。部品点数が減少するので、製造コストの低下にもつながる。
【００６７】
（第１変形例）
図６は、例示的実施形態の第１変形例による映像表示装置６００の構成を示すブロック図である。映像表示装置６００は、検出器２６４を有しない点の他は、図２の映像表示装置１００とほぼ同様に構成されている。信号処理装置６０８は、信号処理装置２０８に対応する。選択器２４０には受信装置６１０の外部から選択信号ＳＳが与えられ、選択器２４０は、この選択信号ＳＳにしたがって選択を行う。
【００６８】
例えば、映像表示装置６００は、選択器２４０に有線で接続されたスイッチを受信装置６１０の外部に有する。このスイッチは、映像表示装置６００の筐体に設けられ、選択信号ＳＳを出力する。ユーザは、このスイッチを直接操作することによって選択信号ＳＳを設定してもよいし、このスイッチを無線リモコンによって遠隔操作してもよい。ここで、無線リモコンは、例えば赤外線や電波を介して情報を伝送する。代替として、映像表示装置６００の外部から選択信号ＳＳが与えられるようにしてもよい。
【００６９】
上述の構成により、ディスプレイ１０４は、ＨＤＭＩ信号１７５およびＵＷＢ信号１８５のうち、選択信号ＳＳで選択された信号で伝送された映像を表示する。換言すれば、信号処理装置６００は、ＨＤＭＩ信号１７５およびＵＷＢ信号１８５のうちの１つを、ユーザの操作や映像表示装置６００の外部からの信号に従って選択して、選択された信号を外部機器に出力できる。
【００７０】
（第２変形例）
図７は、例示的実施形態の第２変形例による映像表示装置７００の構成を示すブロック図である。映像表示装置７００は、スイッチ２４６、ＰＬＬ回路２５４および発振器２９５を有しない点の他は、図２の映像表示装置１００とほぼ同様に構成されている。信号処理装置７０８は、信号処理装置２０８に対応する。
【００７１】
選択信号ＳＳにかかわらず、ＣＤＲ回路２６２は、ＰＬＬ回路２２２で生成された内部クロックＣＫ１を受け取り、内部クロックＣＫ１を用いて、スイッチ２４２、２４４で選択された信号から再生クロックＢＣおよび再生データＢＤを生成し、信号処理器２９０に出力する。内部クロックＣＫ１は多相クロックであるので、スイッチ２４２、２４４で選択された信号のデータ伝送速度が変動しても、ＣＤＲ回路２６２は動作を行うことができる。映像表示装置７００によると、ＰＬＬ回路２５４および発振器２９５が不要であるので、図２の映像表示装置１００より構成を簡単にすることができる。
【００７２】
ＰＬＬ回路２２２が、クロックＣＬＫに代えて、例えば周波数２４ＭＨｚの参照信号ＲＥＦを受け取るようにしてもよい。この場合、ＰＬＬ回路２２２は、参照信号ＲＥＦに基づいて、内部クロックＣＫ１を生成する。内部クロックＣＫ１は、例えば９相の多相クロックであって、その周波数は参照信号ＲＥＦの周波数の整数倍である。
【００７３】
受信装置７１０が、クロックＣＬＫおよび参照信号ＲＥＦのうちの１つを選択してＰＬＬ回路２２２に出力するスイッチを更に有してもよい。このスイッチは、ＨＤＭＩ信号の選択を選択信号ＳＳが表すときにはクロックＣＬＫを選択し、ＵＷＢ信号の選択を選択信号ＳＳが表すときには参照信号ＲＥＦを選択する。すると、ＣＤＲ回路２６２の動作の安定化を図ることができる。
【００７４】
（第３変形例）
図８は、例示的実施形態の第３変形例による映像表示装置８００の構成を示すブロック図である。映像表示装置８００は、検出器２６４および選択器７４０を有せず、ＣＤＲ回路８５６を更に有する点の他は、図７の映像表示装置７００とほぼ同様に構成されている。信号処理装置８０８は、信号処理装置２０８に対応する。ＨＤＭＩ受信機８２０はＣＤＲ回路２６２を有し、ＵＷＢ受信機８５０はＣＤＲ回路８５６を有している。
【００７５】
ＣＤＲ回路２６２は、内部クロックＣＫ１を用いて、イコライザ２２８で波形等化された波形等化後の差動信号から再生クロックＢＣおよび再生データＢＤを生成し、信号処理器８９０に出力する。ＣＤＲ回路８５６は、内部クロックＣＫ１を用いて、復調器２５２で復調された信号から再生クロックＭＣおよび再生データＭＤを生成し、信号処理器８９０に出力する。信号処理器８９０は、ＨＤＭＩ信号に基づく再生クロックＲＣ、ＧＣ、ＢＣおよび再生データＲＤ、ＧＤ、ＢＤ、ならびにＵＷＢ信号に基づく再生クロックＭＣおよび再生データＭＤを適宜用いて、映像信号ＤＤおよび音声信号ＡＤを生成する。
【００７６】
映像表示装置８００によると、ＣＤＲ回路２６２およびＣＤＲ回路８５６が同時に動作可能であるので、ＨＤＭＩ信号とＵＷＢ信号とを同時に受信し、処理することができる。このため、ＨＤＭＩ信号により伝送された映像とＵＷＢ信号により伝送された映像とをディスプレイ１０４に同時に表示することができる。また、ＰＬＬ回路が１つで済むので、回路規模を抑えることができる。
【００７７】
ＨＤＭＩ受信機８２０およびＵＷＢ受信機８５０に対してパワーマネージメントを行ってもよい。ＨＤＭＩ信号とＵＷＢ信号との同時受信を行う必要がない場合には、ＨＤＭＩ受信機８２０およびＵＷＢ受信機８５０のうち、使われていない方の動作を停止させる。具体的には、受信装置８１０の外部から入力されたパワーマネージメント信号８６６に従って、ＨＤＭＩ受信機８２０が使われていない場合には、イコライザ２２４、２２６、２２８およびＣＤＲ回路２３０、２３２、２６２のうちの少なくとも１つは動作を停止し、ＵＷＢ受信機８５０が使われていない場合には、復調器２５２およびＣＤＲ回路８５６のうちの少なくとも１つは動作を停止する。
【００７８】
パワーマネージメント信号８６６は、例えばユーザの操作により、ＨＤＭＩ受信機８２０およびＵＷＢ受信機８５０に与えられる。なお、ＨＤＭＩ信号およびＵＷＢ信号のうち、いずれが入力されているかを判定する検出器を用い、その判定結果をパワーマネージメント信号８６６として用いてもよい。
【００７９】
本発明の多くの特徴および優位性は、記載された説明から明らかであり、よって添付の特許請求の範囲によって、本発明のそのような特徴および優位性の全てをカバーすることが意図される。さらに、多くの変更および改変が当業者には容易に可能であるので、本発明は、図示され記載されたものと全く同じ構成および動作に限定されるべきではない。したがって、全ての適切な改変物および等価物は本発明の範囲に入るものとされる。
【産業上の利用可能性】
【００８０】
以上説明したように、本発明のさまざまな実施形態によると、受信装置の低コスト化を図ることができるので、本発明は、受信装置などについて有用である。
【符号の説明】
【００８１】
１００、６００、７００、８００  映像表示装置
１０２  アンテナ
１０４  ディスプレイ
２０８、６０８、７０８、８０８  信号処理装置
２１０、６１０、７１０、８１０  受信装置
２２２、２５４  ＰＬＬ回路
２４０  選択器
２５２  復調器
２３０、２３２、２６２、８５６  ＣＤＲ回路
２６４  検出器
２９０、８９０  信号処理器
【手続補正２】
【補正対象書類名】特許請求の範囲
【補正対象項目名】全文
【補正方法】変更
【補正の内容】
【特許請求の範囲】
【請求項１】
ベースバンド信号および変調された信号を受け取る受信装置であって、
前記ベースバンド信号に同期した外部クロックに基づいて第１内部クロックを生成する第１ＰＬＬ（Phase Locked Loop）回路と、
前記変調された信号を復調し、復調された信号を出力する復調器と、
前記ベースバンド信号および前記復調された信号のうちの１つを選択する選択器と、
前記第１内部クロックを用いて、前記選択器で選択された信号から再生クロックおよび再生データを生成する第１ＣＤＲ（Clock Data Recovery）回路とを備える
受信装置。
【請求項２】
請求項１に記載の受信装置において、
参照信号に基づいて第２内部クロックを生成する第２ＰＬＬ回路を更に備え、
前記選択器は、前記第１内部クロックおよび前記第２内部クロックから１つを選択し、
前記第１ＣＤＲ回路は、前記選択器で選択された内部クロックを用いて前記再生クロックおよび前記再生データを生成する
受信装置。
【請求項３】
請求項２に記載の受信装置において、
前記ベースバンド信号および前記変調された信号のうち、いずれが入力されているかを判定し、判定結果に応じた選択信号を生成する検出器を更に備え、
前記選択器は、前記選択信号に従って選択を行う
受信装置。
【請求項４】
請求項３に記載の受信装置において、
前記検出器は、前記外部クロックまたは前記ベースバンド信号が入力されている場合には、前記ベースバンド信号を選択すべきことを示す選択信号を生成し、前記復調された信号が入力されている場合には、前記復調された信号を選択すべきことを示す選択信号を生成する
受信装置。
【請求項５】
請求項３に記載の受信装置において、
前記検出器は、前記外部クロックまたは前記ベースバンド信号が入力され、かつ、前記復調された信号が入力されている場合には、前記復調された信号を選択すべきことを示す選択信号を生成する
受信装置。
【請求項６】
請求項３に記載の受信装置において、
前記検出器は、前記外部クロックまたは前記ベースバンド信号が入力され、かつ、前記復調された信号が入力されている場合には、前記ベースバンド信号を選択すべきことを示す選択信号を生成する
受信装置。
【請求項７】
請求項３に記載の受信装置において、
前記ベースバンド信号とは異なるベースバンド信号から再生クロックおよび再生データを生成する第２ＣＤＲ回路を更に備え、
前記第１ＰＬＬ回路および前記第２ＣＤＲ回路のうちの少なくとも１つは、前記検出器に前記復調された信号が入力されている場合には、動作を停止する
受信装置。
【請求項８】
請求項３に記載の受信装置において、
前記復調器および前記第２ＰＬＬ回路のうちの少なくとも１つは、前記検出器に前記外部クロックまたは前記ベースバンド信号が入力されている場合には、動作を停止する
受信装置。
【請求項９】
請求項３に記載の受信装置において、
前記ベースバンド信号とは異なるベースバンド信号から再生クロックおよび再生データを生成する第２ＣＤＲ回路を更に備え、
前記検出器に、前記外部クロックまたは前記ベースバンド信号が入力され、かつ、前記復調された信号が入力されている場合には、前記第１ＰＬＬ回路および前記第２ＣＤＲ回路のうちの少なくとも１つは、動作を停止する
受信装置。
【請求項１０】
請求項３に記載の受信装置において、
前記検出器に、前記外部クロックまたは前記ベースバンド信号が入力され、かつ、前記復調された信号が入力されている場合には、前記復調器および前記第２ＰＬＬ回路のうちの少なくとも１つは、動作を停止する
受信装置。
【請求項１１】
請求項１に記載の受信装置において、
前記選択器は、前記受信装置の外部から入力された選択信号に従って選択を行う
受信装置。
【請求項１２】
請求項１に記載の受信装置において、
前記ベースバンド信号は、ＨＤＭＩ（High-Definition Multimedia Interface）信号であり、
前記変調された信号は、ＵＷＢ（Ultra Wide Band）信号である
受信装置。
【請求項１３】
ベースバンド信号および変調された信号を受け取る受信装置であって、
前記ベースバンド信号に同期した外部クロックに基づいて内部クロックを生成するＰＬＬ回路と、
前記変調された信号を復調し、復調された信号を出力する復調器と、
前記内部クロックを用いて、前記ベースバンド信号から再生クロックおよび再生データを生成する第１ＣＤＲ回路と、
前記内部クロックを用いて、前記復調された信号から再生クロックおよび再生データを生成する第２ＣＤＲ回路とを備える
受信装置。
【請求項１４】
請求項１３に記載の受信装置において、
前記ベースバンド信号は、ＨＤＭＩ信号であり、
前記変調された信号は、ＵＷＢ信号である
受信装置。
【請求項１５】
ベースバンド信号および変調された信号を受け取り、再生クロックおよび再生データを求める受信装置と、
前記再生クロックおよび前記再生データから映像信号を生成する信号処理器とを備え、
前記受信装置は、
前記ベースバンド信号に同期した外部クロックに基づいて第１内部クロックを生成する第１ＰＬＬ回路と、
前記変調された信号を復調し、復調された信号を出力する復調器と、
前記ベースバンド信号および前記復調された信号のうちの１つを選択する選択器と、
前記第１内部クロックを用いて、前記選択器で選択された信号から前記再生クロックおよび前記再生データを生成する第１ＣＤＲ回路とを有し、
前記受信装置と前記信号処理器とは、単一の半導体チップ上に形成されている
信号処理装置。
【請求項１６】
ベースバンド信号および変調された信号を受け取り、再生クロックおよび再生データを求める受信装置と、
前記再生クロックおよび前記再生データから映像信号を生成する信号処理器と、
前記映像信号によって表される映像を表示するディスプレイとを備え、
前記受信装置は、
前記ベースバンド信号に同期した外部クロックに基づいて第１内部クロックを生成する第１ＰＬＬ回路と、
前記変調された信号を復調し、復調された信号を出力する復調器と、
前記ベースバンド信号および前記復調された信号のうちの１つを選択する選択器と、
前記第１内部クロックを用いて、前記選択器で選択された信号から前記再生クロックおよび前記再生データを生成する第１ＣＤＲ回路とを有する
映像表示装置。
【請求項１７】
請求項１６に記載の映像表示装置において、
前記変調された信号を受信し、前記復調器に供給するアンテナを更に備える
映像表示装置。
【手続補正３】
【補正対象書類名】図面
【補正対象項目名】全図
【補正方法】変更
【補正の内容】
【図１】
2010052808.tif 000011
【図２】
2010052808.tif 000012
【図３】
2010052808.tif 000013
【図４】
2010052808.tif 000014
【図５】
2010052808.tif 000015
【図６】
2010052808.tif 000016
【図７】
2010052808.tif 000017
【図８】
2010052808.tif 000018
【国際調査報告】
2010052808.tif 000019
2010052808.tif 000020
2010052808.tif 000021
2010052808.tif 000022